(57)【要約】【課題】発熱部品による温度ドリフトとノイズを軽減することを可能にした、フォトダイオードの対数圧縮回路を有する電子機器を提供すること。【解決手段】フォトダイオードと、フォトダイオードから出力する電流を対数圧縮する出力回路と、フォトダイオード周辺に設けた発熱部品を備え、出力回路うち、低電流検出用の部品を発熱部品が搭載する基板に設け、高電流検出用かつ温度ドリフト特性のある部品を他の基板に設けることを特徴とする。【選択図】図１
2016086213.tif 000002
【特許請求の範囲】
【請求項１】
フォトダイオードと、フォトダイオードから出力する電流を対数圧縮する出力回路と、フォトダイオード周辺に設けた発熱部品を備え、出力回路うち、低電流検出用の部品を発熱部品が搭載する基板に設け、高電流検出用かつ温度ドリフト特性のある部品を他の基板に設けることを特徴とする電子機器。
【請求項２】
発熱部品としてＬＥＤを使用することを特徴とする請求項１に記載の電子機器。
【請求項３】
低電流検出用として抵抗を、高電流検出用の回路として抵抗とダイオードの直列回路を使用することを特徴とする請求項１に記載の電子機器。
【請求項４】
低電流検出用の部品と発熱部品を搭載する基板と、高電流検出用かつ温度ドリフト特性のある部品を搭載する基板を電線またはフレキシブル基板で繋ぐことを特徴する請求項１に記載の電子機器。
【請求項５】
請求項１乃至請求項４の何れか一項に記載の電子機器において、入射光を結像するための撮像レンズと、撮像光に応じて画信号に変換する撮像素子を設けることを特徴とする撮像装置。
【請求項６】
低電流検出用の部品と発熱部品を搭載する基板を、レンズの光軸に対して垂直に配置したことを特徴とする請求項５に記載の撮像装置。
【発明の詳細な説明】
【技術分野】
【０００１】
本発明は、電流検出に関し、特に対数圧縮出力を実現するための部品と、その周辺に発熱部品を設けた電子機器に関する。
【背景技術】
【０００２】
従来、フォトダイオードに入射する光の強度に対応した光電流を、対数圧縮して電流検出する電子機器がある。特許文献１では、携帯用無線機器の検波器の出力にダイオードを設けることで対数圧縮回路を実現している。他の用途として、赤外照明付きカメラの赤外照明のＯＮ／ＯＦＦ切り替えに、上記電子機器を使用する可能性が考えられる。
【先行技術文献】
【特許文献】
【０００３】
【特許文献１】特開２０１４−１０３５７３号公報
【発明の概要】
【発明が解決しようとする課題】
【０００４】
しかしながら、赤外照明付きカメラの場合、ダイオードの近くに発熱部品（赤外ＬＥＤ）があると、ダイオードの温度ドリフトの影響を受ける。また、出力回路を他の基板等に移すことも考えられるが、フォトダイオードの出力電流が低い時にノイズの影響を受けやすくなる。
【０００５】
本発明の目的は、発熱部品による温度ドリフトとノイズを軽減することを可能にした、フォトダイオードの対数圧縮回路を有する電子機器を提供することにある。
【課題を解決するための手段】
【０００６】
上記の目的を達成するために、本発明の電子機器は、フォトダイオードと、フォトダイオードから出力する電流を対数圧縮する出力回路と、フォトダイオード周辺に設けた発熱部品を備え、出力回路うち、低電流検出用の部品を発熱部品が搭載する基板に設け、高電流検出用または温度ドリフト特性のある部品を他の基板に設けることを特徴とする。
【発明の効果】
【０００７】
本発明によれは、低温度ドリフトかつ低ノイズなフォトダイオードの出力回路を有する電子機器の提供を実現できる。
【図面の簡単な説明】
【０００８】
【図１】本発明の実施形態に係る、電子機器の構成を示すブロック図である。
【図２】本発明の実施形態に係る、対数圧縮を実現する出力回路の構成図である。
【図３】本発明の実施形態に係る、撮像レンズと撮像素子設けた撮像装置の構成図である。
【発明を実施するための形態】
【０００９】
以下に、本発明の好ましい実施の形態を、図面に基づいて詳細に説明する。
【００１０】
図１は本発明の実施形態にかかわる、フォトダイオード及びそれを備えた電子機器に関し、特に、フォトダイオードが搭載された基板に発熱部品を備えた電子機器に関する構成図である。１００と１０１は基板で、特に基板１００には発熱部品が搭載されているため、基板１００に搭載している部品は温度変化が大きい。１０２は、電子機器周辺の明るさを出力するフォトダイオードである。１０３と１０５はフォトダイオードの出力回路部であり、低電流検出用の部品を１０３に、高電流検出用かつ温度ドリフト特性のある部品を１０５にする。１０４は熱を発生させる発熱部品はＬＥＤである。高電流検出用かつ温度ドリフト特性のある部品を、発熱部品に設けることで、温度ドリフトの影響を軽減できる。なお、低電流検出用の部品を他の基板に設けないのは、配線長が長いことによるノイズを、軽減するためである。
【００１１】
１０６はＡＤ変換処理部であり、アナログ電気信号である映像信号をＡ／Ｄ変換処理でもってデジタル信号に変換する機能を有している。１０７は発熱部品駆動部であり、発熱部品を駆動させる機能を有している。１０８のＣＰＵは、発熱部品の発熱量の制御と、Ａ／Ｄ変換からきたデータをメモリ１０９へ保存する役割を有している。１０９はＡＤ変換処理部１０６からきたデジタル信号の保持するデータ保存部である。
【００１２】
図２は本発明の実施形態にかかわる、図１の１０３と１０４のより詳細な回路時である。２００はフォトダイオードで、電子機器周辺の明るさに応じて電流を出力する。２０１は、フォトダイオード２００から出力される電流を増幅する電流増幅部である。明るさの低い環境を検出したい場合は、電流増幅部２００の増幅率を大きくしてもよい。２０２は出力回路Ａに設ける抵抗である。特に、抵抗２０２は、電流増幅部２０１から出力される電流が小さい時に検出する低電流検出用の部品である。２０３は出力回路Ｂに搭載する抵抗である。特に、抵抗２０３は、電流増幅部２０１から出力される電流が小さい時に検出する低電流検出用の部品である。従って、フォトダイオード２００の出力は、低電流時には線形に、高電流時には対数出力となる。
【００１３】
２０４はダイオードであり、電流増幅部２０１から出力される電流を対数圧縮する役割を持つ。温度ドリフト特性の高いダイオード２０４を発熱部品がない基板に設けることで、出力回路全体が、低温度ドリフト特性となる。
【００１４】
図３は本発明の実施形態にかかわる、撮像レンズと撮像素子を設けた撮像装置の構成図である。３００が撮像装置の正面図で、３０１は撮像装置の側面である。３０２は入射光を結像するための光学レンズであり、光を撮像素子３０４に集光させる。３０３はフォトダイオードと発熱部品が搭載された基板で、レンズ１０３に対して垂直に配置してもよい。３０４は撮像レンズ３０２からの撮像光に応じて画像信号に変化する撮像素子であり、ＣＣＤセンサやＣＭＯＳセンサがあげられる。３０５は照度センサの出力回路の高電流検出用または温度ドリフト特性のある部品が搭載された基板である。
【００１５】
３０６は、基板３０３と基板３０５を結ぶ電線またはフレキシブル基板である。基板３０５と基板３０３を電線またはフレキシブル基板で結ぶことで、基板３０３に搭載した発熱部品による温度上昇を抑えることが期待できる。
【符号の説明】
【００１６】
１０２  フォトダイオード、１０３，１０５  フォトダイオードの出力回路部、
１０４  ＬＥＤ
【図１】
2016086213.tif 000003
【図２】
2016086213.tif 000004
【図３】
2016086213.tif 000005